(57)【要約】      （修正有）【課題】簡便且つ迅速に相互に磁気吸着により結合される様にした磁気吸着可能物品の載置体の提供。【解決手段】載置体表面の少なくとも一部分に、少なくとも一層の磁性材料薄層或いは被磁気吸着性材料薄層が設けられ、これにより、極薄の磁気吸着性或いは被磁気吸着性構造により、磁気吸着可能物品を結合させることができ、これにより載置体が磁気吸着特性を具えた構造体を吸着結合できる能力を具えたものとされる。【選択図】図４
0003108608.tif 000002
【実用新案登録請求の範囲】
【請求項１】
磁気吸着可能物品の載置体において、載置体の少なくとも一側の少なくとも局部の表面に、コーティング方式で磁性材料薄層が設けられ、並びに該磁性材料薄層が着磁されて磁気吸着能力を具備し、該載置体が該磁性材料薄層により被磁気吸着特性を具えた物体表面の対応位置に吸着され結合されることを特徴とする、磁気吸着可能物品の載置体。
【請求項２】
請求項１記載の磁気吸着可能物品の載置体において、磁性材料薄層が載置体の周囲に沿った一側表面に帯状にコーティングされて形成されたことを特徴とする、磁気吸着可能物品の載置体。
【請求項３】
請求項１又は２記載の磁気吸着可能物品の載置体において、磁性材料薄層が塗布されるエリアの載置体の表面にコロナ処理が行なわれてから磁性材料薄層がコーティングされることを特徴とする、磁気吸着可能物品の載置体。
【請求項４】
請求項１又は２記載の磁気吸着可能物品の載置体において、磁性材料薄層が塗布されるエリアの載置体の表面に火焔処理が行なわれてから磁性材料薄層がコーティングされることを特徴とする、磁気吸着可能物品の載置体。
【請求項５】
請求項１又は２記載の磁気吸着可能物品の載置体において、磁性材料薄層が塗布されるエリアの載置体の表面に研磨処理が行なわれてから磁性材料薄層がコーティングされることを特徴とする、磁気吸着可能物品の載置体。
【請求項６】
請求項１又は２記載の磁気吸着可能物品の載置体において、磁性材料薄層が塗布されるエリアの載置体の表面に表面改質剤或いは表面光製剤がコーティングされてから、更に磁性材料薄層がコーティングされることを特徴とする、磁気吸着可能物品の載置体。
【請求項７】
請求項１又は２記載の磁気吸着可能物品の載置体において、磁性材料薄層が塗布されるエリアの載置体の表面に接着剤がコーティングされてから、更に磁性材料薄層がコーティングされることを特徴とする、磁気吸着可能物品の載置体。
【請求項８】
請求項１又は２記載の磁気吸着可能物品の載置体において、磁性材料薄層が塗布されるエリアの載置体の表面と磁性材料薄層の間に界面材料薄膜が敷設或いは接合されたことを特徴とする、磁気吸着可能物品の載置体。
【請求項９】
磁気吸着可能物品の載置体において、載置体の少なくとも一側の少なくとも局部の表面に、コーティング方式で被磁気吸着性材料薄層が設けられ、該被磁気吸着性材料薄層により磁気吸着特性を具えた物体表面の対応位置に磁気吸着されて結合を達成することを特徴とする、磁気吸着可能物品の載置体。
【請求項１０】
請求項９記載の磁気吸着可能物品の載置体において、被磁気吸着性材料薄層が載置体の周囲に沿った一側表面に帯状にコーティングされて形成されたことを特徴とする、磁気吸着可能物品の載置体。
【請求項１１】
請求項９又は１０記載の磁気吸着可能物品の載置体において、被磁気吸着性材料薄層がコーティングされるエリアの載置体の表面にコロナ処理が施されてから被磁気吸着性材料薄層がコーティングされることを特徴とする、磁気吸着可能物品の載置体。
【請求項１２】
請求項９又は１０記載の磁気吸着可能物品の載置体において、被磁気吸着性材料薄層がコーティングされるエリアの載置体の表面に火焔処理が施されてから被磁気吸着性材料薄層がコーティングされることを特徴とする、磁気吸着可能物品の載置体。
【請求項１３】
請求項９又は１０記載の磁気吸着可能物品の載置体において、被磁気吸着性材料薄層がコーティングされるエリアの載置体の表面に研磨処理が施されてから被磁気吸着性材料薄層がコーティングされることを特徴とする、磁気吸着可能物品の載置体。
【請求項１４】
請求項９又は１０記載の磁気吸着可能物品の載置体において、被磁気吸着性材料薄層がコーティングされるエリアの載置体の表面に表面改質剤或いは表面光製剤がコーティングされてから被磁気吸着性材料薄層がコーティングされることを特徴とする、磁気吸着可能物品の載置体。
【請求項１５】
請求項９又は１０記載の磁気吸着可能物品の載置体において、被磁気吸着性材料薄層がコーティングされるエリアの載置体の表面に接着剤がコーティングされてから被磁気吸着性材料薄層がコーティングされることを特徴とする、磁気吸着可能物品の載置体。
【請求項１６】
請求項９又は１０記載の磁気吸着可能物品の載置体において、被磁気吸着性材料薄層がコーティングされるエリアの載置体の表面と被磁気吸着性材料薄層の間に、界面材料薄膜が敷設或いは接合されたことを特徴とする、磁気吸着可能物品の載置体。
【考案の詳細な説明】
【技術分野】
【０００１】
本考案は一種の磁気吸着結合能力を有する載置体の構造に係り、特に、簡易な磁気吸着構造を具え、板片材料の応用と組立分解を簡便に行なえるようにする載置体構造に関する。
【背景技術】
【０００２】
現在、物品と物品間の結合には、接着、磁気吸着、釘止め、半田付け、溶接等多種類があり、そのうち本考案に関係する組合せ構造及び応用には、空間を区画するためのもの、或いは展示物保護のためのものがある。この二つのタイプの板形材料には、実際の使用の必要によって、透明と不透明（或いは半透明）の二種類の形態があり、その結合或いは組立作業に関しては、不透明のものは、載置体材組立後の背面が遮蔽されて透視できず、これにより、組合せの補助部品（例えば載置体、フレーム或いは固定用の小部品）の形態と色に合わせて運用され、受ける条件の制限は明らかではなく、施工上は簡単に実行できる。反対に、透明或いは半透明の板材は、組立の補助部品と組み合わされる時に、適当な遮蔽設計がなければこれら補助部品が外部に露出して外観を悪くし、このため造形及び色彩の設計と運用にあって、いずれも組立後の上述の小部品の露出が外観上の破壊や展示効果の低下をもたらさないよう、特別な配慮が必要である。且つ上述の両者はいずれも複雑で手間のかかる固定作業を必要とし、簡単に固定できず、応用上、比較的不便である。ゆえに、板材を応用して製品を製造する者は、これまで板材の組立構造と固定部品の設計に対して、少なからぬ突破と更新を行なってきたが、現在に至るまで、真に簡便に実行でき、且つ組立が迅速に行なえるものは提供されておらず、使用者が自分で組み立てる（ＤＩＹ）製品の発展、流行に対して不良な影響を形成する。
【０００３】
図１から図３には伝統的な載置体１０（例えば基板）とその他の物品２０（例えばフレーム）の組合せ形態が示され、それは載置体１０が物品２０に設けられた収容框２１中に嵌め込まれ、さらに押し板１１と釘１２を利用して載置体１０が収容框２１内に固定され、こうして強固な組合せが達成されるが、加工上は比較的面倒で材料或いは部品を浪費する。
【考案の開示】
【考案が解決しようとする課題】
【０００４】
本考案の主要な目的は、簡単に迅速に物品を結合できる載置体を提供することにあり、それは載置体の少なくとも局部の表面に、機具で磁性材料薄層或いは被磁気吸着性材料薄層をコーティングし、前者には並びに着磁作業により磁気吸着能力を具備させ、これにより載置体の上に極めて薄く且つ取り付け後の外観に影響を与えない磁気吸着或いは被磁気吸着構造を形成し、これらの載置体を磁気吸着特性を具えた表面或いはフレームを具えた物体（板材を包含する）と、他の固定部品を必要としない条件下で簡便且つ迅速に相互に磁気吸着により結合されられるようにしたものとする。
【０００５】
本考案の別の目的は、上述の構造により、載置体と結合物体表面間に面の接合形式を形成させ、これにより両者間の結合部分の応力集中の問題を改善し、載置体が集中力作用により破壊される確率を減らせるようにすることにある。
【０００６】
本考案の更に別の目的は、空間を占拠せず外観に影響を与えない構造により物品と載置体の間を結合し、両者の形態設計空間を更に広く広い応用範囲を有するようにすることにある。
【課題を解決するための手段】
【０００７】
請求項１の考案は、磁気吸着可能物品の載置体において、載置体の少なくとも一側の少なくとも局部の表面に、コーティング方式で磁性材料薄層が設けられ、並びに該磁性材料薄層が着磁されて磁気吸着能力を具備し、該載置体が該磁性材料薄層により被磁気吸着特性を具えた物体表面の対応位置に吸着され結合されることを特徴とする、磁気吸着可能物品の載置体としている。
請求項２の考案は、請求項１記載の磁気吸着可能物品の載置体において、磁性材料薄層が載置体の周囲に沿った一側表面に帯状にコーティングされて形成されたことを特徴とする、磁気吸着可能物品の載置体としている。
請求項３の考案は、請求項１又は２記載の磁気吸着可能物品の載置体において、磁性材料薄層が塗布されるエリアの載置体の表面にコロナ処理が行なわれてから磁性材料薄層がコーティングされることを特徴とする、磁気吸着可能物品の載置体としている。
請求項４の考案は、請求項１又は２記載の磁気吸着可能物品の載置体において、磁性材料薄層が塗布されるエリアの載置体の表面に火焔処理が行なわれてから磁性材料薄層がコーティングされることを特徴とする、磁気吸着可能物品の載置体としている。
請求項５の考案は、請求項１又は２記載の磁気吸着可能物品の載置体において、磁性材料薄層が塗布されるエリアの載置体の表面に研磨処理が行なわれてから磁性材料薄層がコーティングされることを特徴とする、磁気吸着可能物品の載置体としている。
請求項６の考案は、請求項１又は２記載の磁気吸着可能物品の載置体において、磁性材料薄層が塗布されるエリアの載置体の表面に表面改質剤或いは表面光製剤がコーティングされてから、更に磁性材料薄層がコーティングされることを特徴とする、磁気吸着可能物品の載置体としている。
請求項７の考案は、請求項１又は２記載の磁気吸着可能物品の載置体において、磁性材料薄層が塗布されるエリアの載置体の表面に接着剤がコーティングされてから、更に磁性材料薄層がコーティングされることを特徴とする、磁気吸着可能物品の載置体としている。
請求項８の考案は、請求項１又は２記載の磁気吸着可能物品の載置体において、磁性材料薄層が塗布されるエリアの載置体の表面と磁性材料薄層の間に界面材料薄膜が敷設或いは接合されたことを特徴とする、磁気吸着可能物品の載置体としている。
請求項９の考案は、磁気吸着可能物品の載置体において、載置体の少なくとも一側の少なくとも局部の表面に、コーティング方式で被磁気吸着性材料薄層が設けられ、該被磁気吸着性材料薄層により磁気吸着特性を具えた物体表面の対応位置に磁気吸着されて結合を達成することを特徴とする、磁気吸着可能物品の載置体としている。
請求項１０の考案は、請求項９記載の磁気吸着可能物品の載置体において、被磁気吸着性材料薄層が載置体の周囲に沿った一側表面に帯状にコーティングされて形成されたことを特徴とする、磁気吸着可能物品の載置体としている。
請求項１１の考案は、請求項９又は１０記載の磁気吸着可能物品の載置体において、被磁気吸着性材料薄層がコーティングされるエリアの載置体の表面にコロナ処理が施されてから被磁気吸着性材料薄層がコーティングされることを特徴とする、磁気吸着可能物品の載置体としている。
請求項１２の考案は、請求項９又は１０記載の磁気吸着可能物品の載置体において、被磁気吸着性材料薄層がコーティングされるエリアの載置体の表面に火焔処理が施されてから被磁気吸着性材料薄層がコーティングされることを特徴とする、磁気吸着可能物品の載置体としている。
請求項１３の考案は、請求項９又は１０記載の磁気吸着可能物品の載置体において、被磁気吸着性材料薄層がコーティングされるエリアの載置体の表面に研磨処理が施されてから被磁気吸着性材料薄層がコーティングされることを特徴とする、磁気吸着可能物品の載置体としている。
請求項１４の考案は、請求項９又は１０記載の磁気吸着可能物品の載置体において、被磁気吸着性材料薄層がコーティングされるエリアの載置体の表面に表面改質剤或いは表面光製剤がコーティングされてから被磁気吸着性材料薄層がコーティングされることを特徴とする、磁気吸着可能物品の載置体としている。
請求項１５の考案は、請求項９又は１０記載の磁気吸着可能物品の載置体において、被磁気吸着性材料薄層がコーティングされるエリアの載置体の表面に接着剤がコーティングされてから被磁気吸着性材料薄層がコーティングされることを特徴とする、磁気吸着可能物品の載置体としている。
請求項１６の考案は、請求項９又は１０記載の磁気吸着可能物品の載置体において、被磁気吸着性材料薄層がコーティングされるエリアの載置体の表面と被磁気吸着性材料薄層の間に、界面材料薄膜が敷設或いは接合されたことを特徴とする、磁気吸着可能物品の載置体としている。
【考案の効果】
【０００８】
本考案は、簡単に迅速に結合される載置体を提供し、それは載置体の少なくとも局部の表面に、機具で磁性材料薄層或いは被磁気吸着性材料薄層をコーティングし、前者には並びに着磁作業により磁気吸着能力を具備させ、これにより載置体の上に極めて薄く且つ取り付け後の外観に影響を与えない磁気吸着或いは被磁気吸着構造を形成し、これらの載置体を磁気吸着特性を具えた表面或いはフレームを具えた物体と、他の固定部品を必要としない条件下で簡便且つ迅速に相互に磁気吸着により結合されられる。また、本考案は上述の構造により、載置体と結合物体表面間に面の接合形式を形成させ、これにより両者間の結合部分の応力集中の問題を改善し、載置体が集中力作用により破壊される確率を減らすことができる。
【考案を実施するための最良の形態】
【０００９】
図４から６に示されるように、本考案は載置体３０を具え、該載置体３０の少なくとも局部の表面に磁性材料薄層３２が結合されている。すなわち載置体３０の局部表面（周囲付近に沿って帯状に分布するか或いは全載置体面に分布）にあって、適当なコーティング機具で、少なくとも一つの磁性材料薄層３２例えばバリウム、ストロンチウム、ルビジウム、コバルト或いはホウ素等或いはその組成物がコーティングされ、並びに着磁作業が施こされ、磁気吸着能力が付与される。そして、結合物４０の対応する接合面４１に、被磁気吸着表層或いは被磁気吸着装置４２（例えば鉄ベース材料或いは装置）がコーティング或いは結合される。本考案の上述の載置体３０は、接合部分に磁性材料薄層３２がコーティングされるため、接合部分を対応する物品の被磁気吸着表層或いは被磁気吸着装置４２に向けるだけで、簡単に相互の磁気吸着結合を発生させることができ、他の釘等の固定部品を必要としない。周知の技術と本考案を比較すると、本考案の載置体３０は、他の付属部品の補助に依らずに表面に具備する磁性材料薄層３２により、所定の結合物４０の表面が具備する被磁気吸着表層或いは被磁気吸着装置４２と簡単、迅速に接合させることができ、後日の取り外し交換の際も簡単に物体４０表面（或いはフレーム）より該載置体３０を取り外すことができ、煩瑣な釘の取り外し作業を必要とせず、極めて実施に便利であり、製品全体の精緻度もまた大幅に向上する。
【００１０】
このほか、硬質材料（例えば硬化或いは半硬化プラスチック載置体、ガラス、硬化樹脂載置体、石材、木載置体、セラミック載置体、金属載置体等）は通常、光沢があり且つ材料特性が上述の磁性材料のコーティング層との間と相容しにくいものとされるため（すなわち接着性が悪い）、本考案は、載置体３０に磁性材料薄層３２をコーティングする前に、載置体３０の磁性材料薄層３２をコーティングしたい部分の表面に、コロナ処理、火焔処理、研磨処理を行なうか、或いは表面改質剤、表面光製剤、接着剤を塗布するか、載置体表面とコーティングしたい磁性材料薄層３２の間に、予め界面材料で形成した薄膜を敷設或いは接合し、これにより磁性材料薄層３２と載置体３０の間の結合度を高め、後日の剥離の減少の発生を防止する。
【００１１】
図７、図８は本考案の載置体３０の表面の磁性材料薄層３２が、前述のように局部コーティングの形式でなく、形状を予知できない物体の接着に対応するために、全面コーティング形態とされた実施例を示し、対応する接合物体の制限が大幅に減らされ、更に便利とされている。
【００１２】
このほか、載置体３０上にコーティングされた磁性材料薄層３２の構造は、実施態様上、被磁気吸着性材料に改変可能で、これに対応し接合される物体４０の接合面４１には、磁性材料薄層或いは磁性を有する装置がコーティング或いは結合され、この実施態様によっても簡便に組み立てる運用効果を達成できる。
【００１３】
総合すると、本考案は簡単に結合できる載置体の構造を提供し、その構造はその出願前に公開されておらず、且つ伝統的な同類の製品の応用効果より優れた効果を発生し、実用新案登録の要件を具備している。
【図面の簡単な説明】
【００１４】
【図１】周知の載置体とフレームの組合せ実施例の立体分解図である。
【図２】図１の実施例の立体組合せ図である。
【図３】図１の実施例の組合せ断面図である。
【図４】本考案の実施例の立体分解図である。
【図５】図４の実施例の立体組合せ図である。
【図６】図４の実施例の組合せ断面図である。
【図７】本考案の載置体に磁性材料薄層を全面コーティングした実施例の立体分解図である。
【図８】本考案の載置体に多種類の異なる形式の結合物品を接合させた立体図である。
【符号の説明】
【００１５】
１０、３０  載置体
１１  押し板
１２  釘
２０  物品
２１  収容框
４１  接合面
３２  磁性材料薄層
４２  被磁気吸着表層或いは被磁気吸着装置
４０  物体
【図１】
0003108608.tif 000003
【図２】
0003108608.tif 000004
【図３】
0003108608.tif 000005
【図４】
0003108608.tif 000006
【図５】
0003108608.tif 000007
【図６】
0003108608.tif 000008
【図７】
0003108608.tif 000009
【図８】
0003108608.tif 000010